(57)【要約】【課題】カウルトップのような三角形板状部材の収納を、多数並べて合理的に、収納した多数の三角形板状部材相互を干渉することなく、傷付きを防止し、確実に収納しうる収納装置を提供したい。【解決手段】段ボール紙からなる略直角三角形の複数枚の縦向きに配置する仕切り板２及び仕切板の前後を保持し、複数並置し保持する段ボール紙製の櫛状の起立保持板３，４からなる収納要素８の複数枚の仕切板間の各隙間Ｓに、向きを同じくして板状部材６を収納して梱包箱１内に収容し下段の収納要素８Ａとし、下段収納要素上に段ボール紙製の横向きの区画板５を載せ、区画板５上に同じ構造の上段収納要素８Ｂを天地逆にし、向きが対称となるように載置し、上段収納要素の各仕切り板間には、天地を逆にして板状部材を収納するようにした三角形板状部材の収納装置。【選択図】        図６
2004262522.tif 000002
【特許請求の範囲】
【請求項１】
長い略直角三角形状で、全体的に略板状である板状部材の収納装置であって、
前記装置は、段ボール紙からなる略直角三角形の複数枚の縦向きに配置する仕切り板及び該仕切板の前後を保持し、複数並置し保持する段ボール紙製の櫛状の起立保持板からなる収納要素を備え、
前記収納要素の前記複数枚の仕切板間の各隙間に、該仕切り板と向きを同じくして前記板状部材を収納して該収納要素を梱包箱内に収容して下段の収納要素とし、
爾後、前記下段収納要素上に段ボール紙製の横向きの区画板を載せ、前記区画板上に前記下段収納要素と同じ構造の上段収納要素を天地逆にし、且つ向きが対称となるように載置し、該上段収納要素の各仕切り板間には、天地を逆にして該仕切り板と向きを同じくして前記板状部材を収納するようにした、
ことを特徴とする三角形板状部材の収納装置。
【請求項２】
前記収納装置の仕切り板は、長さ方向の斜辺の前後端部を平行するように略水平な棚部としたことを特徴とする請求項１に記載の三角形板状部材の収納装置。
【発明の詳細な説明】
【０００１】
【発明の属する技術分野】
本発明は、自動車のカウルトップ（カウルトップパネル）のような三角形の板状部材の収納装置に関する。
【０００２】
【従来の技術】
国際特許分類を調査分野として、先行技術文献情報の調査を実施したが、該当する文献を見出すことができなかった。本発明が、極めて特殊な分野の技術であることがその理由と思われる。
そこで、本発明者等は、先行技術文献に代えて、従来の技術を図面を用いて説明する。
【０００３】
図９は、従来の自動車のカウルトップの収納方法を示す説明図で、図は梱包箱内にカウルトップを挿入する縦断面図、図１０は、梱包箱内にカウルトップを収納し、梱包箱を閉蓋した状態の図である。
自動車のカウルトップとは、自動車のボンネットの後端部とフロントウインドシールド下端との間に配設され、この間を塞ぎ、ワイパーアームの駆動軸を露出させ、雨水を車体前部の下方に導く樋としても機能する合成樹脂製品であり、その一部にシール性を確保するためゴムシールを設けている。
以上のカウルトップは、全体的に板状で、外形は全体的に略直角三角形状をなし、左右で対称形状に形成されており、先細部をボンネット中央部で突き合わせ、幅広基部を車幅方向に左右に配置するものである。
【０００４】
従来のカウルトップ１００の収容、梱包は、傷つき防止のため、樹脂製の包装袋でカウルトップ１００を覆い、梱包箱１０１内に、カウルトップ１００の略直線状の底辺１００ａが該箱１０１の底面１０１ａ上に臨むように鎖線で示すように収容する。
カウルトップ１００は、上段が斜辺１００ｂなので、斜辺１００ｂの上にスペーサ１０２…（…は複数を表す。以下同じ）をセットし、上から蓋辺であるリッド１０３，１０３を折って被せ、閉蓋し、梱包箱１０１内にカウルトップ１００…を収容、梱包する。
【０００５】
【発明が解決しようとする課題】
以上の従来技術は、カウルトップ１００が長さを有する略直角三角形状であり、梱包箱１０１内に収容した際、斜辺１００ｂと閉蓋状態のリッド１０３，１０３との間に断面三角形の空間が形成されることとなり、カウルトップ１００を梱包箱１０１内で固定する必要がある。
そのため、カウルトップ１００の斜辺１００ｂと閉蓋状態のリッド１０３，１０３との間に、カウルトップ１００を固定するためのスペーサ１０２…（詰め物）を充填する必要があり、スペーサ１０２は、カウルトップ１００の斜辺１００ｂとリッド１０３，１０３との間の空間が断面三角形なので断面三角形で、大きさを異ならせたものが複数個必要とし、部品点数が多くなり、また梱包箱１０１もスペーサの収容部を含んで外形寸法を設定する必要があって、スペース上改善の余地が大いにある。
【０００６】
本発明は、以上の課題を解決すべくなされたもので、本発明の目的とする処は、カウルトップのような三角形板状部材の収納を、多数並べて合理的に行ない、また収納した多数の三角形板状部材相互を干渉することなく、相互の傷付きを防止しつつ確実に収納しうる収納装置を提供し、また１個の梱包箱に従来の２倍の三角形板状部材を収容可能とし、スペース利用上極めて有利であるとともに、詰め物等を一切必要としない三角形板状部材の収納装置を提供する。
また本発明は、合成樹脂を用いることなく、全てを段ボール紙のみで構成し、使用後の後処理が環境に優しく、使用後の再使用、再生上も有利であり、環境上においても好ましい三角形板状部材の収納装置を提供する。
【０００７】
【課題を解決するための手段】
上記目的を達成するために請求項１は、長い略直角三角形状で、全体的に略板状である板状部材の収納装置であって、前記装置は、段ボール紙からなる略直角三角形の複数枚の縦向きに配置する仕切り板及び該仕切板の前後を保持し、複数並置し保持する段ボール紙製の櫛状の起立保持板からなる収納要素を備え、前記収納要素の前記複数枚の仕切板間の各隙間に、該仕切り板と向きを同じくして前記板状部材を収納して該収納要素を梱包箱内に収容して下段の収納要素とし、爾後、前記下段収納要素上に段ボール紙製の横向きの区画板を載せ、前記区画板上に前記下段収納要素と同じ構造の上段収納要素を天地逆にし、且つ向きが対称となるように載置し、該上段収納要素の各仕切り板間には、天地を逆にして該仕切り板と向きを同じくして前記板状部材を収納するようにしたことを特徴とする。
【０００８】
請求項１では、複数の三角形板状体は、下段収納要素の並置した複数枚の仕切り板間に個々に該仕切り板の向きと同じ向きで収納され、下段収納要素の上に上段収納要素を天地を逆にし、且つ向きを対称として区画板を介して載置し、これの仕切り板間に複数の三角形板状体が収納され、梱包箱内に上下に、逆向きに、対称に仕切り板を複数枚並置した二組の収納要素を収容し、上下の収納要素の仕切り板間に三角形板状体を収納するので、梱包箱のスペースに無駄な空間を生じることなく、多数のカウルトップのように収納しにくい三角形板状体の収納がなされる。
【０００９】
請求項２は、請求項１において、収納装置の仕切り板は、長さ方向の斜辺の前後端部を平行するように略水平な棚部としたことを特徴とする。
【００１０】
請求項２では、仕切り板の斜辺の前後の部分が平行して略水平な棚部なので、多数枚の仕切り板を並置して構成される収納要素上に区画板を載置する際、同構造で天地を逆とし、向きを対称とした上段の収納要素の載置が安定、確実になされる。
【００１１】
【発明の実施の形態】
本発明の実施の形態を添付図に基づいて以下に説明する。なお、図面は符号の向きに見るものとする。
図１は、本発明に係る収納装置の構成部品を示す分解斜視図である。
１は梱包箱で、段ボール紙製で、矩形箱状をなし、開放した上縁に折り畳み可能に４枚のリッド１ａ…（…は複数を表す。以下同じ）を備える。
２…は仕切り板で、段ボール紙で形成されており、側面視略直角三角形類似の形状をなす。
【００１２】
仕切り板２…は、下辺２ａが水平で、上辺２ｂは斜辺で構成されている。斜辺の上辺２ｂの先部には前部棚部２ｃが形成されており、前部棚部２ｃは高さが低く、下辺２ａと平行して水平である。また、斜辺２ｂの後部には後部棚部２ｄが形成されており、後部棚部２ｄは高さが高さが高く、下辺２ａ及び上辺２ｂの先部２ｃと平行して水平である。
仕切り板２…の先端部２ｅは、下辺２ａの先端から上方に直立し、また後端部２ｆは下辺２ａの後端から上方に直立する。
以上の仕切り板２…の夫々の下辺２ａには、前後に離間して上方へ所定深さの切込み２ｇ，２ｈを設ける。
以上の仕切り板２…は、図示では１２枚左右方向に並べて示した。
【００１３】
３，４は段ボール紙で形成した櫛状の起立保持板である。
３…は、高さが低い前部起立保持板で、仕切り板２の前部の切込み２ｇに係合する上向きの切込み３ａ…を備える。切込み３ａ…は左右方向である長さ方向に所定間隔で図では６個形成されている。切込み３ａ…の間隔、従って起立保持板３，４で保持される仕切り板２…間の間隔は、後述のカウルトップの如き三角形板状体の厚さよりも若干大きく設定する。前部起立保持板３は、図示では２枚備え、図示では下端部に複数個の位置決め凹部３ｂ…を設けた。
４…は、高さが高い後部起立保持板で、仕切り板２の後部の切込み２ｈに係合する上向きの切込み４ａ…を備え、切込み４ａ…は前記に６個前記した間隔を開けて設けられ、２枚備える。
【００１４】
５は段ボール紙で形成した区画板で、梱包箱１の開放部の横断面積と略々同じ大きさの面積を備える。
区画板５の前後には、前記した仕切り板２の前後の棚部２ｃ，２ｄと同幅の前後の片部５ａ，５ｂが、折り線５ｃ，５ｄから折曲しうるように形成されている。
【００１５】
図２は、三角形板状体の一例であるカウルトップの正面図及びこれを包装する保護袋を示す図である。
カウルトップ６は一部が角筒状で、全体としては略直角三角形類似の板状体をで構成され、合成樹脂で形成されており、一部にゴムシールが装着され、先部６ａが上下寸法（幅）が小さく、基部６ｂの上下寸法（幅）が大きく、一部を除いて板状体である。
以上のカウルトップ６を保護袋７内に矢印で示すように収容し、保護袋７内にカウルトップ６を包装した状態を鎖線で示した。
【００１６】
図３は、仕切り板２…を組み立てて収納要素を形成した状態を示す斜視図である。
仕切り板２…は実施の形態では６枚をユニットとし、６枚の仕切り板２…を向きを同じくして並置し、夫々の前部切込み２ｇに前記した櫛状の前部起立保持板３の切込み３ａ…を係合する。
また、仕切り板２…の後部切込み２ｈに前記した櫛状の後部起立保持板４の切込み４ａ…を係合する。
前部起立保持板３の上辺３ｂは、仕切り板２…の前部棚部２ｃの同レベルか、或いはこれより若干低い。また、後部起立保持板４の上辺４ｂは後部棚部２ｄよりも低く設定されている。各起立保持板３，４の下辺３ｃ，４ｃは、仕切り板２の下辺２ａと同レベルである。
【００１７】
以上により、６枚に仕切り板２…は、上から見た状態で前後の起立保持板３，４により井桁状に組み立てられ、並置した仕切り板２…間には、保護袋で包装された前記のカウルトップ６を収納するに必要、且つ十分の６個の隙間Ｓ…が形成されることとなる。
隙間Ｓ…は、前後の起立保持板３，４間の間隔が、カウルトップ６…の前後の長さを収納するに必要、且つ十分の間隔とする。
以上の６枚の仕切り板２…を前後の起立保持板３，４で起立保持した状態の組立体を形成し、これにより収納要素８を形成する。
【００１８】
ところで、図３では３枚の仕切り板２…を示している。しかし、図１で説明したように、櫛状の前後の起立保持板３，４は、夫々６個の切込み３ａ，４ａ…を設けてあるので、６枚の仕切り板２…を起立保持して６個のカウルトップ６…を収納する収納要素８を形成することが理解できる。
図１では、仕切り板２…を１２枚、前後の起立保持板３，４を夫々２枚づつ用意した。これにより、仕切り板２…を半数づつ、即ち６枚づつ一組の起立保持板３，４によって組み立て、これにより全く同構成の２組の収納要素８を形成することができる。
【００１９】
図４は、保護袋７で包装した６個のカウルトップ６…を収納した収納要素８を、梱包箱１内に収容した状態を示す縦断面図である。
前記した６枚の仕切り板２…を、前後の起立保持板３，４により並置起立させ、一体化させるように組み立てた収納要素８を、梱包箱１内に仕切り板２の下辺２ａ、前後の起立保持板３，４の下辺が内底面１ｂ上に載るように収容する。
収容した収納要素８の６枚の仕切り板２…間の６個の隙間Ｓ…間に、６個のカウルトップ６…の夫々を仕切り板２…と向きを同じくして収納する。
【００２０】
収納状態は図４に示す通りである。
仕切り板２…間の隙間Ｓ…に収納された板状のカウルトップ６…は、板状部分６ｃが縦向きに保持され、図では下半部の一部の筒状部６ｄとして形成されているので、この部分が隙間Ｓ…の下部に収納されており、仕切り板２…間の隙間Ｓ…の幅は、筒状部６ｄの厚さを含んで設定されている。
以上の収納要素８を収容した梱包箱１の該収納要素８の上に区画板５を載置する。
【００２１】
図５は、カウルトップ６…を収納した収納要素８を収容した状態の図４の梱包箱に、カウルトップ６…を収納した２段目の収納要素を収容した状態を示す縦断面図である。
前記した区画板５は下段の収納要素８Ａの仕切り板２の斜辺の上辺２ｂ上に載せられることから、後述する図６のように斜めに配設される。これにより、区画板５上で閉蓋するリッド１ａとの間には、図６で後述するように、略直角三角形状の空間が下段の収納要素８Ａの収納空間上に対称に形成されることとなる。
【００２２】
区画板５上に上段の収納要素８Ｂを載せるように収容する。上段の収容要素８Ｂは、下段の収納要素８Ａと天地を逆とし、且つ収納要素８の前後の向きを逆とし、前後逆向きで対称となるようにする。
従って、仕切り板２…は天地が逆となり、斜辺である上辺２ｂが下向きとなり、水平な下辺２ａは上向きとなり、起立保持板３，４は上側となる。
仕切り板２…間の空間Ｓ…内に収納されるカウルトップ６…は、仕切り板２…と向きを同じくし、従って、カウルトップ６…の向きは、天地が逆で、前後が逆向きとなり、下段収納要素８Ａに収納されたカウルトップとは、天地が逆で、前後が逆向きに収納されることとなる。
【００２３】
図では、上段の収納要素８Ｂは、図３における高さが低い前部側が上側に臨み、下段の収納要素８Ａは、高さが高い後部側が下側に臨んでいる。
このように、２個の収納要素を収容するに際し、先ず梱包箱１内に下段の収納要素８Ａを収容し、この上に区画板５を載せ、この上に上段の収納要素８Ｂを収納要素自体の天地を逆向きとし、且つ前後の向きを下段の収納要素８Ａとは逆向きで対称となるように区画板５上に載せる。
爾後、リッド１ａ…を矢印のように折り曲げて上段の収納要素８Ｂ上を覆う。
【００２４】
図６は、収納要素８Ａ，８Ｂを収容した梱包箱１の縦断側面図である。
下段の収納要素８Ａは、図では側面視において図の左側が高く、右側が低い略直角三角形類似の形状をなし、類似形状のカウルトップ６が向きを仕切り板２と同様の向きで隙間Ｓに収納されている。
前記した区画板５は、前後の片部５ａ，５ｂが折り線５ｃ，５ｄから一方が谷折り、他方が山折りで折られ、下段の収納要素８Ａの仕切り板２…の斜辺の上辺２ｂに区画板５の中間部５ｅが載り、前後の水平な棚部２ｃ，２ｄに折り線５ｃ，５ｄから折られた前後の片部５ａ，５ｂが水平状態となって載る。
【００２５】
上段の収納要素８Ｂは、図で明らかなように、下段の収納要素８Ａに対し、天地が逆となり、且つ前後（図の左右）が逆向きとなって前後で対称となる。
従って、上段の収納要素８Ｂの仕切り板２…の斜辺からなる上辺２ｂが下向きとなって区画板５の傾斜した中間部５ｅに載り、仕切り板２の前後の棚部２ｃ，２ｄは天地が逆向き状態で区画板５の水平な前後の片部５ａ，５ｂ上に載る。
閉蓋したリッド１ａ…の下面に、上段の収納要素８Ｂの各仕切り板２…の上向きとなった水平な下辺２ａ及び起立保持板３，４の下辺が当接することとなる。
【００２６】
以上のように、梱包箱１内に、略直角三角形類似形状の仕切り板２…、起立保持板３，４からなる平面視井桁状の収納要素８を上下２段に天地を逆にし、前後の向きを逆向きとして収納することで、カウルトップのような直角三角形類似形状の板状体を、多数枚、梱包箱内に無駄なスペースを発生させることなく各カウルトップを並置しつつ、相互に傷付けることなく、仕切って保持しつつ、収容し、梱包することができる。
収納要素は略直角三角形類形状の複数の仕切り板を起立保持板を井桁に組着し、仕切り板間にカウルトップを収納して梱包箱内に収容し、同様の収納要素を天地を逆向きとして前後の向きを逆向きとして区画板を介装して収容するだけなので、収納要素の組み立て、カウルトップの収納、２組の収納要素の収容が容易である。
【００２７】
図７は、梱包箱内を上下に区画する区画板５の前後に水平な棚部５ａ，５ｂを設けた図示実施形態の模式図で、図８は、梱包箱内を上下に区画する区画板１５を斜めに横架させた例の模式図である。
図７では、上記したように、斜辺の中間部５ｅを斜辺とし、前後を水平な棚部５ａ，５ｂとしたもので、図６に示した上段の収納要素８Ｂの仕切り板２…の前後の水平な棚部２ｃ，２ｄは、逆向きの状態で、区画板５の水平な前後の片部５ａ，５ｂ上に載り、中間部が斜辺であっても、前後の水平な棚部で保持される。
【００２８】
図８は、区画板１５が図では左側を上とし、右側を下として斜めに梱包箱１内に区画、配置された例を示す。
収納要素の仕切り板は水平な棚部を前後に有しない略直角三角形状で、下段に収納要素を収容し、斜めの区画板１５を区画するように配置し、こぬ上から天地を逆にし、向きを逆にして同様の収納要素を載置した場合、上段の収納要素には矢印で示したような図の右側へのスリップ力が作用し、梱包箱１の右側の壁面に荷重が作用し、この部分が膨出、変形する可能性がある。
このため、図６及び図７に示した構造が好ましいことが理解できるが、図８のような構造でも良い。
【００２９】
以上、図示実施の形態を説明したが、三角形板状部材はカウルトップに限られず任意であり、また図では６個の三角形板状部材を収納する収納要素を示したが、収納する枚数や個数は任意であり、更に図８で説明したが、前後に棚部を有しない構造のものでも所期の目的は達成することができるものである。
【００３０】
【発明の効果】
本発明は上記構成により次の効果を発揮する。
請求項１は、長い略直角三角形状で、全体的に略板状である板状部材の収納装置であって、収納装置は、段ボール紙からなる略直角三角形の複数枚の縦向きに配置する仕切り板及び該仕切板の前後を保持し、複数並置し保持する段ボール紙製の櫛状の起立保持板からなる収納要素を備え、収納要素の複数枚の仕切板間の各隙間に、該仕切り板と向きを同じくして板状部材を収納して該収納要素を梱包箱内に収容して下段の収納要素とし、爾後、下段収納要素上に段ボール紙製の横向きの区画板を載せ、区画板上に下段収納要素と同じ構造の上段収納要素を天地逆にし、且つ向きが対称となるように載置し、該上段収納要素の各仕切り板間には、天地を逆にして該仕切り板と向きを同じくして板状部材を収納するようにした。
【００３１】
請求項１では、複数の三角形板状体は、下段収納要素の並置した複数枚の仕切り板間に個々に該仕切り板の向きと同じ向きで収納され、下段収納要素の上に上段収納要素を天地を逆にし、且つ向きを対称として区画板を介して載置し、これの仕切り板間に複数の三角形板状体が収納され、梱包箱内に上下に、逆向きに、対称に仕切り板を複数枚並置した二組の収納要素を収容し、上下の収納要素の仕切り板間に三角形板状体を収納するので、梱包箱のスペースに無駄な空間を生じることなく、従来に２倍という多数のカウルトップのように収納しにくい三角形板状体の収納を行なうことができる。
特に本発明では、梱包箱内に上下に、逆向きに、対称に仕切り板を複数枚並置した二組の収納要素を収容し、上下の収納要素の仕切り板間に三角形板状体を収納することで、上下の収納要素の仕切り板を含む上辺、下辺は平行して直線状となり、従って、収納箱と底と蓋と収納要素との間に隙間が発生せず、従来必要であったスペーサ（詰め物）は全く不要となり、純粋に三角形板状体を複数枚仕切って保持する部材のみで足り、部品点数が減少し、収納作業も簡素となる。
また、収納装置は内部の容積に無駄を生じることなく収納することができるので、スペース利用上有利であるとともに、１個の梱包箱で多数の三角形板状体を収納しうるので、梱包箱の経済上も有利である。
【００３２】
また本発明は、カウルトップのような三角形板状部材の収納を、収納要素の仕切り板間に収納することで多数並べて合理的に行うことができ、また収納した三角形板状部材相互は仕切り板で干渉することなく、相互の傷付きを防止しつつ確実に収納しうる収納装置を得ることができる。
以上の他本発明は、合成樹脂を用いることなく、全てを段ボール紙のみで構成するので、使用後の後処理が環境に優しく、使用後の再使用、再生上も有利であり、環境上においても好ましい三角形板状部材の収納装置を得ることができる。
【００３３】
請求項２は、請求項１において、収納装置の仕切り板は、長さ方向の斜辺の前後端部を平行するように略水平な棚部とした。
【００３４】
請求項２では、仕切り板の斜辺の前後の部分が平行して略水平な棚部なので、多数枚の仕切り板を並置して構成される収納要素上に区画板を載置する際、同構造で天地を逆とし、向きを対称とした上段の収納要素の載置が安定、確実になされる。
従って、上下で天地を逆とし、向きを対称とした三角形板状体の保持が安定して、確実になされる。
【図面の簡単な説明】
【図１】本発明に係る収納装置の構成部品を示す分解斜視図
【図２】三角形板状体の一例であるカウルトップの正面図及びこれを包装する保護袋を示す図
【図３】仕切り板を組み立てて収納要素を形成した状態を示す斜視図
【図４】保護袋で包装した６個のカウルトップを収納した収納要素を、梱包箱内に収容した状態を示す縦断面図
【図５】カウルトップを収納した収納要素を収容した状態の図４の梱包箱に、カウルトップを収納した２段目の収納要素を収容した状態を示す縦断面図
【図６】収納要素を収容した梱包箱の縦断側面図
【図７】梱包箱内を上下に区画する区画板の前後に水平な棚部を設けた図示実施形態の模式図
【図８】梱包箱内を上下に区画する区画板を斜めのまま横架させた例の模式図で
【図９】従来の自動車のカウルトップの収納方法を示す説明図で、図は梱包箱内にカウルトップを挿入する縦断面図
【図１０】梱包箱内にカウルトップを収納し、梱包箱を閉蓋した状態の図
【符号の説明】
１…梱包箱、  ２…仕切り板、  ２ｃ，２ｄ…棚部、  ３，４…起立保持板、５…区画板、  ６…三角形板状部材であるカウルトップ、  ８…収納要素、  ８Ａ，８Ｂ…上下段の収納要素。
【図１】
2004262522.tif 000003
【図２】
2004262522.tif 000004
【図３】
2004262522.tif 000005
【図４】
2004262522.tif 000006
【図５】
2004262522.tif 000007
【図６】
2004262522.tif 000008
【図７】
2004262522.tif 000009
【図８】
2004262522.tif 000010
【図９】
2004262522.tif 000011
【図１０】
2004262522.tif 000012